(57)【要約】【課題】好適な状態にて記録媒体を搬送して、好適な品位の柄模様を記録することができる、インクジェット記録装置を提供する。【解決手段】記録媒体を搬送し、所定の柄模様を記録するインクジェット記録装置であって、記録媒体が載せ置かれる搬送面に形成された、記録媒体を固定する粘着部を含み、前記粘着部に固定された記録媒体を搬送する搬送機構と、前記搬送機構によって搬送される記録媒体を、前記粘着部に対して押圧する押圧機構と、前記押圧機構によって押圧され、前記粘着部に固定されて搬送される記録媒体に、所定の柄模様を記録する記録部を有し、前記粘着部は、貼り替え可能な粘着テープを備え、前記押圧機構は、記録媒体に接し、前記粘着テープに対して記録媒体を押圧する第一の押圧ローラと、前記第一の押圧ローラに比べてローラ表面の硬度が硬い材質で構成され、前記粘着テープに接し、前記搬送面に対して前記粘着テープを押圧する第二の押圧ローラを備える。【選択図】図２
2019130852.tif 000002
【特許請求の範囲】
【請求項１】
記録媒体を搬送し、所定の柄模様を記録するインクジェット記録装置であって、
記録媒体が載せ置かれる搬送面に形成された、記録媒体を固定する粘着部を含み、前記粘着部に固定された記録媒体を搬送する搬送機構と、
前記搬送機構によって搬送される記録媒体を、前記粘着部に対して押圧する押圧機構と、
前記押圧機構によって押圧され、前記粘着部に固定されて搬送される記録媒体に、所定の柄模様を記録する記録部を有し、
前記粘着部は、貼り替え可能な粘着テープを備え、
前記押圧機構は、
記録媒体に接し、前記粘着テープに対して記録媒体を押圧する第一の押圧ローラと、
前記第一の押圧ローラに比べてローラ表面の硬度が硬い材質で構成され、前記粘着テープに接し、前記搬送面に対して前記粘着テープを押圧する第二の押圧ローラを備える、インクジェット記録装置。
【請求項２】
所定の柄模様が記録される記録媒体が載せ置かれる搬送面に形成された、記録媒体を固定する粘着部を含み、前記粘着部に固定された記録媒体を搬送する搬送機構と、
前記搬送機構によって搬送される記録媒体を、前記粘着部に対して押圧する押圧機構と、
前記押圧機構によって押圧され、前記粘着部に固定されて搬送される記録媒体に、所定の柄模様を記録する記録部を有するインクジェット記録装置で実行されるインクジェット記録方法であって、
前記粘着部は、貼り替え可能な粘着テープを備え、
前記押圧機構は、第一の押圧ローラと、前記第一の押圧ローラに比べてローラ表面の硬度が硬い材質で構成された第二の押圧ローラを備え、
記録媒体に所定の柄模様を記録する場合には、前記第一の押圧ローラにより記録媒体を押圧し、
前記搬送面に粘着された前記粘着テープの貼り替えをする場合には、前記第二の押圧ローラにより粘着テープを押圧する、インクジェット記録方法。
【発明の詳細な説明】
【技術分野】
【０００１】
本発明は、インクジェット記録装置及びインクジェット記録方法に関する。
【背景技術】
【０００２】
従来から、インクジェット記録に関する技術が提案されている。特許文献１には、プリント媒体を導入する導入部、プリント媒体を搬送する搬送部、色数分の複数のインクジェットヘッドを有するプリント部等を有するインクジェット印刷装置が開示されている。インクジェット印刷装置では、連続するシート状の布帛が、プリント媒体とされる。プリント媒体が連続するシート状の布帛の場合、インクジェット印刷装置では、生地に適当な張力を与えるテンションコントロール装置、しわを伸ばすしわ伸ばし装置、布目を矯正する布目矯正装置、布の進行方向に対して、左右に蛇行しないように布の進行方向に対する左右方向の布位置センサを用いて、プリント媒体を所望の状態に維持し、搬送部を構成するベルトに貼り付けてプリント媒体をプリント部に送る。プリント媒体のベルトへの貼り付けは、接着剤（粘着剤）を、ベルトに塗布しておきニップロールによりプリント媒体に接着剤を貼り付けることによりおこなわれる。
【０００３】
出願人においても、粘着テープにより記録媒体を搬送ベルトに貼り付けてインクジェット記録をおこなうことに関する装置や方法を提案している（例えば、特許文献２、特許文献３参照）。
【先行技術文献】
【特許文献】
【０００４】
【特許文献１】特開２００１−０６３１６１号公報
【特許文献２】特開２０１４−１３３３０９号公報
【特許文献３】国際公開第２０１６／０５２３６３号
【発明の概要】
【発明が解決しようとする課題】
【０００５】
このような搬送ベルトに粘着部が形成されたインクジェット記録装置では、搬送ベルトの上流側に押圧ローラを備えることがある。押圧ローラは、搬送ベルトによって搬送される記録媒体を、ベルトの搬送面の粘着部に押圧し、固定する。
【０００６】
例えば、粘着テープを搬送ベルトに貼り付けて粘着部を形成する場合と、記録媒体を粘着部に貼り付けてインクジェット記録をおこなう場合では、押圧ローラの表面の硬さや押圧力等を好適に調整する必要がある。また、インクジェット記録をおこなう記録媒体の種類によっても押圧ローラの調整が必要になる場合もある。これまでの押圧機構では様々な場合に応じた調整が困難であった。
【０００７】
本発明は、様々な場合に対応できる押圧機構を備えることにより、好適な状態にて記録媒体を搬送して、好適な品位の柄模様を記録することができる、インクジェット記録装置及びインクジェット記録方法を提供することを目的とする。
【課題を解決するための手段】
【０００８】
上記従来の課題に鑑みなされた本発明の一側面は、記録媒体を搬送し、所定の柄模様を記録するインクジェット記録装置であって、記録媒体が載せ置かれる搬送面に形成された、記録媒体を固定する粘着部を含み、前記粘着部に固定された記録媒体を搬送する搬送機構と、前記搬送機構によって搬送される記録媒体を、前記粘着部に対して押圧する押圧機構と、前記押圧機構によって押圧され、前記粘着部に固定されて搬送される記録媒体に、所定の柄模様を記録する記録部を有し、前記粘着部は、貼り替え可能な粘着テープを備え、前記押圧機構は、記録媒体に接し、前記粘着テープに対して記録媒体を押圧する第一の押圧ローラと、前記第一の押圧ローラに比べてローラ表面の硬度が硬い材質で構成され、前記粘着テープに接し、前記搬送面に対して前記粘着テープを押圧する第二の押圧ローラを備える、インクジェット記録装置である。
【０００９】
これによれば、記録媒体を、ローラ表面の硬度が柔らかい第一の押圧ローラで押圧するので、表面に痕をつけずに好適な状態にて記録媒体を搬送でき、また、粘着テープを、ローラ表面の硬度が硬い第二の押圧ローラで押圧するので、粘着テープに皺が入らずに、搬送ベルトの搬送面に貼り付けることができ、記録媒体に好適な品位の柄模様を記録することができる。
【００１０】
また、所定の柄模様が記録される記録媒体が載せ置かれる搬送面に形成された、記録媒体を固定する粘着部を含み、前記粘着部に固定された記録媒体を搬送する搬送機構と、前記搬送機構によって搬送される記録媒体を、前記粘着部に対して押圧する押圧機構と、前記押圧機構によって押圧され、前記粘着部に固定されて搬送される記録媒体に、所定の柄模様を記録する記録部を有するインクジェット記録装置で実行されるインクジェット記録方法であって、前記粘着部は、貼り替え可能な粘着テープを備え、前記押圧機構は、第一の押圧ローラと、前記第一の押圧ローラに比べてローラ表面の硬度が硬い材質で構成された第二の押圧ローラを備え、記録媒体に所定の柄模様を記録する場合には、前記第一の押圧ローラにより記録媒体を押圧し、前記搬送面に粘着された前記粘着テープの貼り替えをする場合には、前記第二の押圧ローラにより粘着テープを押圧する、インクジェット記録方法である。
【００１１】
これによれば、上述したインクジェット記録装置と同様の機能を奏することができる。
【発明の効果】
【００１２】
本発明によれば、様々な場合に対応できる押圧機構を備えることにより、好適な状態にて記録媒体を搬送して、好適な品位の柄模様を記録することができる、インクジェット記録装置及びインクジェット記録方法を得ることができる。
【図面の簡単な説明】
【００１３】
【図１】インクジェット記録装置の概略構成を示す側面図である。
【図２】押圧機構の概略構成の一例を説明する図である。
【発明を実施するための形態】
【００１４】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。
【００１５】
＜インクジェット記録装置＞
インクジェット記録装置１は、図１に示すように、送出機構２０と、搬送機構３０と、押圧機構５０と、記録部６０と、剥離ローラ７０と、巻取機構８０とを有する。インクジェット記録装置１では、これら各構成等が動作し、記録媒体としての布帛３に、所定の柄模様（画像）が記録される。布帛３は、所定の幅を有する長尺状である。
【００１６】
送出機構２０は、給紙ローラ２２と、複数の導入ローラ２４と、センタリングローラ２６と、位置検知センサ２８とを含む。給紙ローラ２２には、コイル状に巻き取られた長尺状の布帛３がセットされる。給紙ローラ２２は、セットされた布帛３を、連続して繰り出す。給紙ローラ２２から繰り出された布帛３は、導入ローラ２４を介して、センタリングローラ２６の側に搬送される。図１では、３個の導入ローラ２４が図示されている。図１における導入ローラ２４の個数は、例示であって、その数は、適宜設定される。
【００１７】
センタリングローラ２６は、給紙ローラ２２から繰り出された布帛３の幅方向の位置を、調整する。位置検知センサ２８は、センタリングローラ２６の近傍に設けられている。位置検知センサ２８は、センタリングローラ２６を通過している布帛３の少なくとも一方の側辺部を検知する。インクジェット記録装置１では、位置検知センサ２８からの検知信号に従い、センタリングローラ２６を通過し、幅方向の位置が調整された布帛３の側辺部が、所定の位置にあるかが監視される。センタリングローラ２６を通過した布帛３は、さらに、導入ローラ２４と同様の構成の所定のローラを介して、搬送機構３０の側に搬送される。
【００１８】
搬送機構３０は、所謂、ベルトコンベアである。搬送機構３０は、上述したようにして搬送される布帛３を、送出機構２０から巻取機構８０の側に向かう搬送方向に搬送する。搬送機構３０によって搬送される布帛３は、記録部６０を通過する。搬送機構３０は、一対の第一ベルトローラ３２及び第二ベルトローラ３４と、搬送ベルト３６とを含む。第一ベルトローラ３２は、記録部６０より搬送方向上流側に設けられている。第二ベルトローラ３４は、記録部６０より搬送方向下流側に設けられている。搬送ベルト３６は、環状とされた無端ベルトであって、第一ベルトローラ３２及び第二ベルトローラ３４に張架されている。例えば、搬送方向下流側の第二ベルトローラ３４が、不図示の駆動部の駆動力によって、搬送方向に対応した方向に回転することで、搬送ベルト３６が、これと同一方向に回転する。図１に基づけば、第二ベルトローラ３４は、反時計回り（第二ベルトローラ３４内の矢印参照）に回転する。このとき、搬送方向上流側の第一ベルトローラ３２は、従動して回転する。搬送機構３０において、布帛３の搬送方向への搬送は、このようにして実現される。
【００１９】
搬送ベルト３６の表面である搬送面３８には、図２に示すように、粘着部４０が形成されている。従って、布帛３は、搬送機構３０によって搬送される状態において、搬送面３８に形成された粘着部４０に固定される。粘着部４０は、帯状の粘着テープであって、搬送面３８の外周を全周にわたって覆うような状態で、搬送面３８に固定（粘着）されている。
【００２０】
押圧機構５０は、上述したように搬送機構３０の側に搬送され、搬送機構３０によって搬送されることとなる布帛３を、搬送面３８に形成された粘着部４０に固定する。押圧機構５０は、第一の押圧ローラ５２と、第二の押圧ローラ５４と、押圧調整部５６と、カウンタローラ５８とを含む。押圧機構５０は、搬送機構３０の上方に設けられている。第一の押圧ローラ５２の外周面は、図１に示すポイントＭより搬送方向下流側の位置において、搬送面３８、詳細には、粘着部４０の粘着面に対向する。ポイントＭは、記録部６０より搬送方向上流側の位置であって、搬送方向上流側において、搬送ベルト３６の移動方向が、搬送方向に一致するように転換された後、第一ベルトローラ３２の外周面と、搬送面３８とは反対側の面である搬送ベルト３６の裏面とが非接触状態となる位置である。
【００２１】
記録部６０は、搬送機構３０の上方で、押圧機構５０によって粘着部４０に固定された状態で、搬送機構３０にて搬送される布帛３に対して、所定の柄模様を記録する。記録部６０は、複数の記録ヘッドを含む。例えば、所定の柄模様の記録に、ブラック、シアン、マゼンタ及びイエローの各インクが用いられるとする。この場合、記録部６０は、ブラック用の記録ヘッドと、シアン用の記録ヘッドと、マゼンタ用の記録ヘッドと、イエロー用の記録ヘッドとを含む。各色用の記録ヘッドには、それぞれ、対応するインクを吐出するノズルが、搬送面３８に対向するように形成されている。所定の柄模様の記録には、各種のインクが用いられる。例えば、着色料及び添加剤を含有し、水を媒体とする水系インクが用いられる。インクに用いる着色料としては、例えば、反応染料、酸性染料、直接染料、分散染料等の染料が例示される。着色料として、顔料を用いることもできる。インクには、必要に応じて分散剤、消泡剤、浸透剤、濃染剤、ｐＨ調整剤等を、添加してもよい。
【００２２】
図２では、インクジェット記録装置１が、シリアル型のインクジェット記録装置である場合で説明しており、インクジェット記録装置１は、記録部６０を、直交方向に往復移動させるための駆動機構を有する。所定の柄模様の記録（記録工程）は、駆動機構によって記録部６０を往復移動させると共に、布帛３を搬送方向に、間欠搬送させながら、各色用の記録ヘッドの各ノズルから、それぞれの色のインクを吐出しておこなわれる。
【００２３】
剥離ローラ７０は、図１に示すように、搬送方向において搬送機構３０より下流側で、鉛直方向において搬送機構３０より高い位置に設けられている。剥離ローラ７０は、不図示の駆動部の駆動力によって、搬送方向に対応した方向に回転する。図１に基づけば、剥離ローラ７０は、反時計回り（剥離ローラ７０内の矢印参照）に回転する。剥離ローラ７０は、搬送ベルト３６の回転に対応して回転する。布帛３に接する剥離ローラ７０の外周面は、布帛３との間で所定の摩擦力が発生するような状態をなしている。剥離ローラ７０が回転すると、搬送機構３０によって搬送されている布帛３は、剥離ローラ７０の側に引っ張られる。これによって、所定の柄模様が記録された状態で搬送されている布帛３は、記録部６０を通過した所定の位置で、粘着部４０から剥離される。
【００２４】
粘着部４０から剥離され、剥離ローラ７０を通過した布帛３は、さらに、導入ローラ２４と同様の構成の所定のローラを介して、巻取機構８０の側に搬送される。剥離ローラ７０と巻取機構８０との間に設けられる、前述の所定のローラの数は、適宜設定される。巻取機構８０は、所定の柄模様が記録され、所定のローラを介して搬送される布帛３を順次巻き取る。巻き取られた布帛３は、その後、インクジェット記録装置１による工程の次の工程である、例えば発色工程に供給される。発色工程では、公知の発色処理が行われ、記録された所定の柄模様が、布帛３に固着される。
【００２５】
インクジェット記録装置１は、接続インターフェース（不図示）を有する。接続インターフェースは、通信ケーブルを接続するための接続口を備え、同じく通信ケーブルが接続された外部装置（不図示）との間で、データ通信を行う。外部装置としては、パーソナルコンピュータ等が例示される。インクジェット記録装置１で記録される所定の柄模様を表す柄模様データは、外部装置から、接続インターフェースを介して、インクジェット記録装置１に入力される。
【００２６】
この他、インクジェット記録装置１は、制御部９０を有する。制御部９０は、インクジェット記録装置１において実行される各種の動作及び処理を制御する。制御部９０は、外部装置から接続インターフェースを介してインクジェット記録装置１に入力された柄模様データを処理する。続けて、制御部９０は、処理済みの柄模様データに従い、各色用の記録ヘッドの各ノズルから、それぞれの色インクが吐出されるよう制御する。これによって、粘着部４０に固定された状態の布帛３には、所定の柄模様が記録される。制御部９０は、送出機構２０、搬送機構３０、剥離ローラ７０及び巻取機構８０を、それぞれ制御する。これによって、これら各構成において、上述したような、布帛３の供給、搬送、剥離及び巻き取りの各動作が行われる。また、制御部９０は、後述する押圧機構５０の動作も制御する。
【００２７】
＜押圧機構＞
押圧機構５０は、第一の押圧ローラ５２と、第二の押圧ローラ５４と、押圧調整部５６と、カウンタローラ５８とを含む。
【００２８】
第一の押圧ローラ５２は、搬送機構３０によって搬送されることとなる布帛３を、搬送面３８の粘着部４０に押圧するためのローラである。第一の押圧ローラ５２は、布帛３の搬送方向への搬送に従動して回転する。図１に基づけば、第一の押圧ローラ５２は、時計回りに回転する。
【００２９】
第二の押圧ローラ５４は、搬送ベルト３６の表面である搬送面３８に形成される粘着部４０の帯状の粘着テープを、搬送面３８の外周を全周にわたって覆うような状態で、搬送面３８に押圧するためのローラである。第二の押圧ローラ５４は、粘着テープの搬送方向への搬送に従動して回転する。図１に基づけば、第二の押圧ローラ５４は、時計回りに回転する。
【００３０】
インクジェット記録装置１において、繰り返し何度もインクジェット記録をおこなっていると、粘着部４０の粘着力が低下し、布帛３を搬送面３８にきれいに貼り付けることが出来なくなる。その場合、古くなった粘着テープを搬送ベルト３６の表面から剥がし、新しい粘着テープに貼り替えをして、粘着部４０の粘着力を回復させることがおこなわれる。２の押圧ローラ５４は、そのような粘着テープの貼り替えをおこなう場合に使用されるローラである。
【００３１】
第二の押圧ローラ５４は、第一の押圧ローラ５２に比べ、ローラ表面の硬度が硬い材質のものである。硬度が硬い材質を選択することで、ローラ表面が変形しにくく、粘着テープと第二の押圧ローラ５４の接触面積は小さくなり、ベルトに貼り付ける粘着テープに皺が入りにくくなる。第二の押圧ローラ５４に好ましい材質のローラとしては、例えば、ゴム製のローラが挙げられる。
【００３２】
言い換えると、第一の押圧ローラ５２は、第二の押圧ローラ５４に比べ、ローラ表面の硬度が柔らかい材質のものである。硬度が柔らかい材質を選択することで、ローラ表面が変形しやすく、布帛３と第一の押圧ローラ５２の接触面積は大きくなり、布帛３の表面に痕をつけずに布帛３を搬送することが出来る。第一の押圧ローラ５２に好ましい材質のローラとしては、例えば、スポンジ製のローラが挙げられる。
【００３３】
第一の押圧ローラ５２と第二の押圧ローラ５４の硬度の目安としては、第一の押圧ローラ５２のショア硬さ（ＨＳ）が２５未満であり、第二の押圧ローラ５４のショア硬さ（ＨＳ）が２５以上であることが好ましい。
【００３４】
押圧調整部５６は、第一の押圧ローラ５２と第二の押圧ローラ５４の切り替えをおこなうための構成である。例えば、第一の押圧ローラ５２と第二の押圧ローラ５４を両端から支持する支持板をエアシリンダなどで回転させることで、各ローラの切り替えが可能である。
【００３５】
カウンタローラ５８は、搬送ベルト３６の裏面側であって、搬送ベルト３６を介して押圧ローラ５２に対向するように設けられている。カウンタローラ５８は、搬送ベルト３６の回転に従動して回転する。図１に基づけば、カウンタローラ５８は、反時計回りに回転する。カウンタローラ５８は、第一の押圧ローラ５２または第二の押圧ローラ５４によって付与される押圧力を受ける。即ち、カウンタローラ５８は、受け部としての機能を有する。
【００３６】
＜本実施形態による効果＞
本実施形態によれば、次のような効果を得ることができる。
【００３７】
（１）布帛３を、ローラ表面の硬度が柔らかい第一の押圧ローラ５２で押圧するので、表面に痕をつけずに好適な状態にて布帛３を搬送でき、好適な品位の柄模様を記録することができる。
【００３８】
（２）また、粘着テープを、ローラ表面の硬度が硬い第二の押圧ローラ５４で押圧するので、粘着テープに皺が入らずに、搬送ベルト３６の搬送面３８に貼り付けることができ、布帛３に好適な品位の柄模様を記録することができる。
【００３９】
＜変形例＞
本実施形態は、次のようにすることもできる。このような構成によっても、上述したような効果を得ることができる。
【００４０】
（１）上記では、所定の柄模様が記録される記録媒体が、長尺状の布帛３である場合を例に説明した。この他、記録媒体は、短冊状の布帛であってもよい。この場合、インクジェット記録装置１では、送出機構２０と、剥離ローラ７０と、巻取機構８０とが、省略される。短冊状の布帛は、搬送機構３０において、搬送方向上流側の端部において、搬送面３８に載せ置かれ、上記同様、押圧機構５０で押圧されて、粘着部４０に固定される。その後、記録部６０を通過した所定の位置で、粘着部４０から剥離される。また、記録媒体は、布帛以外の媒体であってもよい。
【００４１】
（２）上記では、インクジェット記録装置１が、シリアル型のインクジェット記録装置である場合を例に説明したが、インクジェット記録装置１は、ライン型のインクジェット記録装置であってもよい。ライン型のインクジェット記録装置である場合、記録部６０において、各色用の記録ヘッドは、搬送方向に隣り合った状態で配列されて設けられている。配列順序は、適宜設定される。
【符号の説明】
【００４２】
１  インクジェット記録装置
３  布帛
２０  送出機構
２２  給紙ローラ  ２４  導入ローラ
２６  センタリングローラ  ２８  位置検知センサ
３０  搬送機構
３２  第一ベルトローラ  ３４  第二ベルトローラ  ３６  搬送ベルト
３８  搬送面  ４０  粘着部
５０  押圧機構
５２  第一の押圧ローラ  ５４  第二の押圧ローラ
５６  押圧調整部  ５８  カウンタローラ
６０  記録部
７０  剥離ローラ
８０  巻取機構
９０  制御部
【図１】
2019130852.tif 000003
【図２】
2019130852.tif 000004